(57)【要約】【課題】辺りの暗さに応じて発光装置の駆動を制御することにより電気の浪費やランプの損害を防ぎ、視覚的にも感じのよい穏やかな光で発光させるなど、機能性及び利便性を向上させることができる発光装置を有するゴミ箱を提供することを目的とする。【解決手段】上記の課題を解決するために、本発明は、一端に開口が設けられ、上記開口にはゴミを入れる空間が設けられた本体と、上記本体に設置された発光装置と、上記本体に設置され、かつ電気的に上記発光装置に接続された駆動器とを有し、ゴミ箱を暗闇に設置した場合、上記駆動器は上記発光装置を駆使して発光させる構成とされる。【選択図】        図１
2005008312.tif 000002
【特許請求の範囲】
【請求項１】
一端に開口が設けられ、上記開口にはゴミを入れる空間が設けられた本体と、
上記本体に設置された発光装置と、
上記本体に設置され、かつ電気的に上記発光装置に接続された駆動器とを有し、
ゴミ箱を暗闇に設置した場合、上記駆動器は上記発光装置を駆使して発光させることを特徴とする発光装置を有するゴミ箱。
【請求項２】
上記本体は、センサーエレメントを有し、
上記センサーエレメントは、電気的に上記駆動器に接続され、ゴミ箱が暗闇に設置された場合、上記センサーエレメントは制御信号を上記駆動器に出力し、上記発光装置を駆使して発光させることを特徴とする請求項１記載の発光装置を有するゴミ箱。
【請求項３】
上記本体は、スイッチを有し、
上記スイッチは、電気的に上記駆動器に接続され、ゴミ箱が暗闇に設置された場合、上記スイッチをオンにして上記駆動器を制御し、上記発光装置を駆使して発光させることを特徴とする請求項１又は２記載の発光装置を有するゴミ箱。
【請求項４】
上記本体は、ステップを有し、
上記ステップは上記発光装置の設置に供されることを特徴とする請求項１乃至３いずれか一項記載の発光装置を有するゴミ箱。
【請求項５】
上記本体は、蓋を有し、
上記蓋は、プレス部が設けられて上記発光装置の設置に供されることを特徴とする請求項１乃至４いずれか一項記載の発光装置を有するゴミ箱。
【請求項６】
上記駆動器内には、回路板が設けられ、
上記回路板は、ＣＰＵ及び電源制御ユニットを有し、
上記ＣＰＵは、制御信号を処理及び伝送することにより上記発光装置を駆使して発光させ、上記電源制御ユニットは必要な電源を提供することを特徴とする請求項１乃至５いずれか一項記載の発光装置を有するゴミ箱。
【請求項７】
上記駆動器内には、回路板が設けられ、
上記回路板には、ＣＰＵ、センサー信号処理ユニット及び電源制御ユニットが設置され、
上記センサー信号処理ユニットは、上記センサーエレメントから出力された信号を受信し、並びに上記ＣＰＵによって信号処理を行った後、制御信号を上記発光装置へ伝送し、上記発光装置を駆使して発光させ、上記電源制御ユニットは必要な電源を提供することを特徴とする請求項２乃至６いずれか一項記載の発光装置を有するゴミ箱。
【請求項８】
上記駆動器内には、回路板が設けられ、
上記回路板には、ＣＰＵ及び電源制御ユニットが設置され、
上記ＣＰＵは、上記スイッチから伝送された信号を受信することができ、並びに処理された信号を上記発光装置へ伝送して発光させ、上記電源制御ユニットは必要な電源を提供することを特徴とする請求項３乃至７いずれか一項記載の発光装置を有するゴミ箱。
【請求項９】
上記回路板にはタイマーユニットが設置され、
上記タイマーユニットは上記発光装置のオン及びオフ時間の設定に供されることを特徴とする請求項６乃至８いずれか一項記載の発光装置を有するゴミ箱。
【請求項１０】
上記発光装置はコールドライト装置であることを特徴とする請求項１乃至９いずれか一項記載の発光装置を有するゴミ箱。
【発明の詳細な説明】
【０００１】
【発明の属する技術分野】
本発明は、発光装置を有するゴミ箱に係り、特に、暗闇の中でもゴミ箱を容易に見分けることができる発光装置を有するゴミ箱に関するものである。
【０００２】
【従来の技術】
図１０は、従来の照明具を有するゴミ箱の構造分解図である。照明具を有するゴミ箱には、ライトセット６１及びゴミ箱６０が含まれ、それらの主要特徴は以下の通りである。ゴミ箱６０の上端には直接または間接的にライトセット６１が枢設されている。ライトセット６１は、ゴミ箱６０の外観及び環境を美化することができると共に、夜間照明の効果があるので利用者が即座にゴミ箱６０を見分けることができるため、ゴミ箱６０を探す時間を減らすことができる。従って、暗闇に乗じてむやみにゴミに捨てる習慣を改善し、更に進んで環境品質を向上させることができる。
【０００３】
【発明が解決しようとする課題】
上記従来の照明具を有するゴミ箱６０は、ライトセット６１の電球６２の発光によって照明の機能を有するが、ゴミ箱６０は電球６２を発光体としているので、それの照射する光源は強く、熱も強いので屋外での設置だけに適用されている。かつ、その電球６２は導電線（番号を付けていない）によって直接外部の電源に接続され、例えば、そのライトセット６１が設けられているゴミ箱６０を室内に設置した場合、それには導通であるかを制御するスイッチがないので、不注意に電線を抜き出すことを忘れてしまう。そうするとライトセット６１を昼間でも継続に発光させることとなる。この状況は必要のない電気を浪費するだけでなく、かつランプを損害する可能性があり、そのために従来の照明機能のあるゴミ箱６０は依然改善する必要があるという問題点があった。
【０００４】
よって、本発明は、上記の問題点を解決し、辺りの暗さに応じて発光装置の駆動を制御することにより電気の浪費やランプの損害を防ぎ、視覚的にも感じのよい穏やかな光で発光させるなど、機能性及び利便性を向上させることができる発光装置を有するゴミ箱を提供することを目的とする。
【０００５】
【課題を解決するための手段】
上記課題を解決するため、本発明は、請求項１に記載されるように、一端に開口が設けられ、上記開口にはゴミを入れる空間が設けられた本体と、上記本体に設置された発光装置と、上記本体に設置され、かつ電気的に上記発光装置に接続された駆動器とを有し、ゴミ箱を暗闇に設置した場合、上記駆動器は上記発光装置を駆使して発光させる構成とされる。
【０００６】
このような発光装置を有するゴミ箱では、一端に開口が設けられ、上記開口にはゴミを入れる空間が設けられた本体と、上記本体に設置された発光装置と、本体に設置され、かつ電気的に発光装置に接続された駆動器とを有し、ゴミ箱を暗闇に設置した場合、駆動器は発光装置を駆使して発光させることにより、暗闇の中でもゴミ箱をはっきりと見分けることができる。このように、辺りの暗さに応じて発光装置の駆動を制御することにより電気の浪費やランプの損害を防ぎ、視覚的にも感じのよい穏やかな光で発光させるなど、機能性及び利便性を向上させることができる。
【０００７】
また、本発明は、請求項２に記載されるように、上記本体は、センサーエレメントを有し、上記センサーエレメントは、電気的に上記駆動器に接続され、ゴミ箱が暗闇に設置された場合、上記センサーエレメントは制御信号を上記駆動器に出力し、上記発光装置を駆使して発光させる構成としてもよい。
【０００８】
このような発光装置を有するゴミ箱では、本体のセンサーエレメントは、電気的に上記駆動器に接続され、ゴミ箱が暗闇に設置された場合、センサーエレメントは制御信号を駆動器に出力し、発光装置を駆使して発光させることにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【０００９】
また、本発明は、請求項３に記載されるように、上記本体は、スイッチを有し、上記スイッチは、電気的に上記駆動器に接続され、ゴミ箱が暗闇に設置された場合、上記スイッチをオンにして上記駆動器を制御し、上記発光装置を駆使して発光させる構成としてもよい。
【００１０】
このような発光装置を有するゴミ箱では、本体はスイッチを有し、スイッチは、電気的に駆動器に接続され、ゴミ箱が暗闇に設置された場合、スイッチをオンにして上記駆動器を制御し、発光装置を駆使して発光させることにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【００１１】
また、本発明は、請求項４に記載されるように、本体はステップを有し、上記ステップは上記発光装置の設置に供される構成としてもよい。
【００１２】
このような発光装置を有するゴミ箱では、本体はステップを有し、ステップは発光装置の設置に供されることにより、発光装置の駆動を制御してステップが交差にきらめき、または同時に発光させるよう制御を行うことができ、機能性及び利便性を向上させることができる。
【００１３】
また、本発明は、請求項５に記載されるように、上記本体は蓋を有し、上記蓋はプレス部が設けられて上記発光装置の設置に供される構成としてもよい。
【００１４】
このような発光装置を有するゴミ箱では、本体は蓋を有し、蓋はプレス部が設けられて発光装置の設置に供されることにより、プレス部を押すと内蓋は蓋に対して弾み起き、蓋をワンタッチで空けることができ、機能性及び利便性を向上させることができる。
【００１５】
また、本発明は、請求項６に記載されるように、上記駆動器内には、回路板が設けられ、上記回路板は、ＣＰＵ及び電源制御ユニットを有し、上記ＣＰＵは制御信号を処理及び伝送することにより上記発光装置を駆使して発光させ、上記電源制御ユニットは必要な電源を提供する構成としてもよい。
【００１６】
このような発光装置を有するゴミ箱では、駆動器内に設けられた回路板は、ＣＰＵ及び電源制御ユニットを有し、ＣＰＵは制御信号を処理及び伝送することにより発光装置を駆使して発光させ、電源制御ユニットは必要な電源を提供することにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【００１７】
また、本発明は、請求項７に記載されるように、上記駆動器内には、回路板が設けられ、上記回路板にはＣＰＵ、センサー信号処理ユニット及び電源制御ユニットが設置され、上記センサー信号処理ユニットは、上記センサーエレメントから出力された信号を受信し、並びに上記ＣＰＵによって信号処理を行った後、制御信号を上記発光装置へ伝送し、上記発光装置を駆使して発光させ、上記電源制御ユニットは必要な電源を提供する構成としてもよい。
【００１８】
このような発光装置を有するゴミ箱では、駆動器内には回路板が設けられ、回路板にはＣＰＵ、センサー信号処理ユニット及び電源制御ユニットが設置され、センサー信号処理ユニットは、センサーエレメントから出力された信号を受信し、並びにＣＰＵによって信号処理を行った後、制御信号を発光装置へ伝送し、発光装置を駆使して発光させ、電源制御ユニットは必要な電源を提供することにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【００１９】
また、本発明は、請求項８に記載されるように、上記駆動器内には、回路板が設けられ、上記回路板には、ＣＰＵ及び電源制御ユニットが設置され、上記ＣＰＵは、上記スイッチから伝送された信号を受信することができ、並びに処理された信号を上記発光装置へ伝送して発光させ、上記電源制御ユニットは必要な電源を提供する構成としてもよい。
【００２０】
このような発光装置を有するゴミ箱では、駆動器内に設けられた回路板には、ＣＰＵ及び電源制御ユニットが設置され、ＣＰＵはスイッチから伝送された信号を受信することができ、処理された信号を発光装置へ伝送して発光させ、電源制御ユニットは必要な電源を提供することにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【００２１】
また、本発明は、請求項９に記載されるように、上記回路板にはタイマーユニットが設置され、上記タイマーユニットは上記発光装置のオン及びオフ時間の設定に供される構成としてもよい。
【００２２】
このような発光装置を有するゴミ箱では、回路板のタイマーユニットにより発光装置のオン及びオフ時間の設定に供されることにより、辺りの暗さに応じて発光装置の駆動を制御することができ、電気の浪費やランプの損害を防ぎ、視覚的にも感じのよい穏やかな光で発光させるなど、機能性及び利便性を向上させることができる。
【００２３】
また、本発明は、請求項１０に記載されるように、上記発光装置はコールドライト装置である構成としてもよい。
【００２４】
このような発光装置を有するゴミ箱では、上記発光装置はコールドライト装置であることにより、電気の浪費やランプの損害を防ぎ、視覚的にも感じのよい穏やかな光で発光させるなど、機能性及び利便性を向上させることができる。
【００２５】
以下に添付図面を参照して本発明のある好適な実施の形態を詳細に説明するが、それらの構成は本発明の構造の絶対的な制限にならない。
【００２６】
【発明の実施の形態】
以下、図を参照して本発明の発光装置を有するゴミ箱を説明する。図１は、本発明の第１実施例に係る発光装置を有するゴミ箱を示す透視斜視図である。本発明の発光装置を有するゴミ箱は、主に、駆動器２０が含まれ、ゴミ箱１の本体１０内に設けられている。本体１０の頂端には、開口が設けられ、開口にはゴミを入れるための空間が設けられている（図面には示されていない）。かつ、開口には蓋１１が枢設され、本体１０の底端片側にはペダル１２及びセンサーエレメント３０が設けられている。ペダル１２には発光装置が設置され、本実施例に於いて、その発光装置はコールドライト装置４０である。かつそのコールドライト装置４０とセンサーエレメント３０は、コントロール線２５、２４によって電気的に駆動器２０に接続されている。その駆動器２０はセンサーエレメント３０から送り出された信号を判断し、選択的にコールドライト装置４０を発光するように駆動することができる。
【００２７】
図２は、本発明の第１実施例に係る発光装置を有するゴミ箱を示す分解図である。駆動器２０は、箱２１及び蓋２２から構成され、かつ箱２１内には回路制御装置２３が設けられている。回路制御装置２３は、コントロール線２５、２４によって電気的にセンサーエレメント３０及びコールドライト装置４０へ接続される。
【００２８】
箱２１の両側は、一定数のねじ２６によって本体１０に締め付けられ、箱２１内には電池２７の設置に供される容置空間２１１が設けられ、電池２７は電気的に回路制御装置２３へ接続される。蓋２２は、ペダル１２の一端に相対し、それにはコントロール線２４がセンサーエレメント３０へ接続するための長孔２２１が設けられ、かつ別のコントロール線２５はコールドライト装置４０へ接続される。
【００２９】
その回路制御装置２３には回路板２３１が含まれ、かつその回路板２３１にはＣＰＵ、電源コントロールユニット、センサー信号処理ユニット…等回路ユニット（図面には示されていない）が設けられている。その回路板２３１はコントロール線２４及びセンサー信号処理ユニットによってセンサーエレメント３０が判断した信号を受信し、並びにＣＰＵにおいて信号処理を行う。そしてコントロール信号をコントロール線２５によってコールドライト装置４０へ出力して駆動発光させる。これら回路ユニットの信号処理及び伝送技術は周知の技術であるため、ここでは説明を省略する。
【００３０】
本実施例において、そのセンサーエレメント３０は光センサーエレメントであり、周囲の明るさが光センサーエレメントの臨界値までに下がった場合、その光センサーエレメントは出力信号を回路制御装置２３へ伝送してコールドライト装置４０へ駆動発光させる。逆に、周囲の明るさが光センサーエレメントの臨界値より高い場合、回路制御装置２３は停止状態になり、かつコールドライト装置４０は発光されない。
【００３１】
本実施例において、そのコールドライト装置４０はペダル１２の様式によって製作され、それには『ＳＴＥＰ』と言う字のコールドライト装置４１が設けられ、両コールドライト装置４０、４１はＣＰＵの出力信号によって交差にきらめき、または同時に発光させるよう制御を行う。その制御方式も周知の技術であるため、ここでは説明を省略する。
【００３２】
図３は、本発明の発光装置を有するゴミ箱の使用例を示す図である。そのゴミ箱１を室内に設置した場合、それはセンサーエレメント３０によって室内の明るさを判断し、その明るさが臨界値までに下がって信号が回路制御装置２３に出力され、かつ回路制御装置２３の処理を経てコールドライト装置４０を駆動発光させる。これにより、暗闇の中でもゴミ箱１をはっきりと見分けることができ、使用者は便利にゴミを捨てることができる。
【００３３】
図４は、本発明の第２実施例に係る発光装置を有するゴミ箱を示す斜視図である。図５は、本発明の第２実施例に係るゴミ箱の内蓋を空けた状態を示す斜視図である。それには本発明のゴミ箱１の蓋１１には、更に内蓋１１１が連結され、その内蓋１１１の一端には枢接部１１２が設けられて蓋１１に枢合されている。他端の適当個所にはプレス部１１３が設けられ、そのプレス部１１３を押すと内蓋１１１は蓋１１に対して弾み起き、蓋１１をワンタッチで空けることができる。本実施例において、その駆動器２０は内蓋１１１と蓋１１の枢接個所に設置され、かつセンサーエレメント３０は内蓋１１１の光源の照射が受けられる個所に設置され、かつコールドライト装置４０は内蓋１１１のプレス部１１３に設置されている。そのセンサーエレメント３０及びコールドライト装置４０は二本のコントロール線２４、２５によって電気的に駆動器２０へ接続されている。室内の明るさがセンサーエレメント３０の臨界値までに下がった場合、その駆動器２０はコールドライト装置４０を駆使して発光させ、それによって暗闇の中でもゴミ箱１の位置をはっきりと見分けることができる。
【００３４】
図６は、本発明の第３実施例に係る発光装置を有するゴミ箱を示す平面図である。図７は、本発明の第３実施例に係る発光装置を有するゴミ箱を示す側断面図である。それには本発明のゴミ箱１の蓋１１には更に内蓋１１４が連結され、その内蓋１１４の中央個所には枢接部１１５が設けられて蓋１１の中央両側に枢合することができる。かつ内蓋１１４の両端には、二つのプレス部１１６が設けられ、いずれかのプレス部１１６を押すと内蓋１１４の両端は枢接部１１５を軸として枢動することができる。本実施例に於いて、その駆動器２０は蓋１１の内側適当個所に設置され、かつセンサーエレメント３０は蓋１１の光源の照射が受けられる個所に設置され、コールドライト装置４０は内蓋１１４のプレス部１１６に設置されている。そのセンサーエレメント３０及びコールドライト装置４０は電気的に駆動器２０へ接続されている。室内の明るさがセンサーエレメント３０の臨界値までに下がった場合、その駆動器２０はコールドライト装置４０を駆使して発光させ、それによって暗闇の中でもゴミ箱１の位置をはっきり見分けることができる。
【００３５】
図８は、本発明の第４実施例に係る発光装置を有するゴミ箱を示す透視斜視図である。それには本発明のゴミ箱１のセンサーエレメント３０は手動スイッチ５０に入れ替えられ、その手動スイッチ５０をオンの状態に押せば、駆動器２０はコールドライト装置４０を駆使して発光させ、使用者は室内の光源が不足した場合はコールドライト装置４０をオンして発光させることができる。また、本実施例において回路板２３１には、別にタイマーユニットを設置してもよく（図面には示されていない）、そのタイマーユニットはコールドライト装置４０のオンオフ時間を設定することができ、それによってコールドライト装置４０は所定時間発光した後、自動的に消して電力の消耗を減少する効果が達成される。
【００３６】
図９は、本発明の第５実施例に係る発光装置を有するゴミ箱を示す透視斜視図である。図９に示すように、本発明のゴミ箱１の駆動器２０は変圧器２８が設けられて交流電源へ接続される（図面には示されていない）。これにより、これまで使用した電池２７と入れ替えてゴミ箱１を使用する。
【００３７】
上記をまとめると本発明には次の利点がある。
【００３８】
１．本発明の発光装置を有するゴミ箱は、発光装置を本体外縁の目だつ処に設置し、かつセンサーエレメントを本体の光源の照射が受けられる処に設置し、ゴミ箱周囲の光源明るさがセンサーエレメントの臨界値より低くなった場合、センサーエレメントは信号を駆動器へ出力し、その駆動器は信号を処理して発光装置を駆使発光させることにより、ゴミ箱の位置をはっきりと探し出すことができる。
【００３９】
２．本発明の発光装置を有するゴミ箱のコールドライト飾りシートは光集中性が強い、電気の消耗が低い利点があり、夜間において特に明るく目立つだけでなく、かつまぶしくなく、軽くて柔らかく、またスペースを取ることなく、使用者のニーズによって違った形に裁断することができ、取り付けも容易である。このため、コールドライト飾りシートは従来の電球を使って発光させる設計と比べると、本発明は視覚的に感じのよい穏やかな光を発光することができ、かつ長時間使用しても過熱または電気を多く消耗することがなく、機能性及び利便性を向上させることができる。
【００４０】
尚、上記は本発明の最適実施例であり、本発明の実施範囲を制限するものではなく、本発明と類似の改良、変形はすべて本発明の特許範囲内に含まれる。
【００４１】
【発明の効果】
このような発光装置を有するゴミ箱において、一端に開口が設けられ、上記開口にはゴミを入れる空間が設けられた本体と、上記本体に設置された発光装置と、本体に設置され、かつ電気的に発光装置に接続された駆動器とを有し、ゴミ箱を暗闇に設置した場合、駆動器は発光装置を駆使して発光させることにより、暗闇の中でもゴミ箱をはっきりと見分けることができる。このように、辺りの暗さに応じて発光装置の駆動を制御することにより電気の浪費やランプの損害を防ぎ、視覚的にも感じのよい穏やかな光で発光させるなど、機能性及び利便性を向上させることができる。
【図面の簡単な説明】
【図１】本発明の第１実施例に係る発光装置を有するゴミ箱を示す透視斜視図である。
【図２】本発明の第１実施例に係る発光装置を有するゴミ箱を示す分解図である。
【図３】本発明の発光装置を有するゴミ箱の使用例を示す図である。
【図４】本発明の第２実施例に係る発光装置を有するゴミ箱を示す斜視図である。
【図５】本発明の第２実施例に係るゴミ箱の内蓋を空けた状態を示す斜視図である。
【図６】本発明の第３実施例に係る発光装置を有するゴミ箱を示す平面図である。
【図７】本発明の第３実施例に係る発光装置を有するゴミ箱を示す側断面図である。
【図８】本発明の第４実施例に係る発光装置を有するゴミ箱を示す透視斜視図である。
【図９】本発明の第５実施例に係る発光装置を有するゴミ箱を示す透視斜視図である。
【図１０】従来の照明具を有するゴミ箱の構造分解図である。
【符号の簡単な説明】
１                ゴミ箱
１０              本体
１１              蓋
１２              ペダル
２０              駆動器
２１              箱
２２              蓋
２３              回路制御装置
２５、２４        コントロール線
２７              電池
３０              センサーエレメント
４０、４１        コールドライト装置
５０              手動スイッチ
６０              ゴミ箱
６１              ライトセット
６２              電球
１１１            内蓋
１１３            プレス部
１１４            内蓋
１１５            枢接部
１１６            プレス部
２１１            容置空間
２２１            長孔
２３１            回路板
【図１】
2005008312.tif 000003
【図２】
2005008312.tif 000004
【図３】
2005008312.tif 000005
【図４】
2005008312.tif 000006
【図５】
2005008312.tif 000007
【図６】
2005008312.tif 000008
【図７】
2005008312.tif 000009
【図８】
2005008312.tif 000010
【図９】
2005008312.tif 000011
【図１０】
2005008312.tif 000012